(57)【要約】【課題】包装容器が一定以上に大きくなっても、連結片をほぼ垂直に支持して菓子などの脱落を防止する。【解決手段】カバー２０の一端開口を通して容器本体１０が摺動自在に嵌挿された包装容器１において、カバー２０の正面部２４裏面と背面部裏面との間隔、容器本体１０の引き出し片１７の正面側端縁と背面側端縁との間隔、底面板１２の正面側端縁と背面側端縁との間隔の順に小さく設定され、また、引き出し片１７に対応して正面板１１および背面板１１の左右各一端部側上端縁にそれぞれ略板厚に相当する深さの切欠部１１ａが形成される。そして、カバー２０の正面部２４および背面部に沿って支持された容器本体１０の正面板１１および背面板の左右一端部側上端縁にそれぞれ形成された各切欠部１１ａの上端縁に引き出し片１７の正面側端縁部および背面側端縁部が載置される。【選択図】図７
2005041531.tif 000002
【特許請求の範囲】
【請求項１】
左右の側面板、背面板、底面板、正面板からなり、上面が開口された容器本体と、上面部、正面部、背面部および底面部からなり、左右両端が開口されたカバーと、から構成され、カバーにおける上面部の左右一端部に切欠部が形成される一方、容器本体における左側面板または右側面板の上端縁に、対向する他方の側面板に向かって引き出し片が水平に連設され、引き出し片の他端縁に下方に向かって連結片が垂直に連設され、連結片の下端縁に水平に糊代が連設されて底面板に貼着され、カバーの上面部に形成された切欠部に容器本体の引き出し片が露出するように、カバーの一端開口を通して容器本体が摺動自在に嵌挿された包装容器において、カバーの正面部裏面と背面部裏面との間隔、引き出し片の正面側端縁と背面側端縁との間隔、底面板の正面側端縁と背面側端縁との間隔の順に小さく設定され、また、引き出し片に対応して正面板および背面板の左右各一端部側上端縁に略板厚に相当する深さの切欠部がそれぞれ形成され、カバーの正面部および背面部に沿って支持された容器本体の正面板および背面板の各切欠部の上端縁に引き出し片の正面側端縁部および背面側端縁部が載置されることを特徴とする包装容器。
【請求項２】
前記引き出し片が連設された左右一方の側面板の正面側端縁と背面側端縁との間隔が、カバーの正面部裏面と背面部裏面との間隔よりも大きく設定されていることを特徴とする請求項１記載の包装容器。
【発明の詳細な説明】
【技術分野】
【０００１】
本発明は、菓子などの包装容器に関するものである。
【背景技術】
【０００２】
従来、上面が開口された箱状の容器本体と、左右両端が開口された筒状のカバーと、から構成され、菓子などが収容された容器本体をカバーの一端開口を通して摺動自在に嵌挿してなる菓子などの包装容器が提案されている。
【０００３】
このような包装容器においては、包装を開封した後、カバーから容器本体を引き出して、容器本体に収容された菓子などを取り出すようにしている。この場合、容器本体に収容された菓子などが簡単に脱落することがないように、容器本体の底面板に貼着された糊代と、容器本体の左右一方の側面板の上端縁に連設された引き出し片とを結ぶ連結片の端縁に突起を設ける一方、突起に対応してカバーに切れ目を形成し、カバーに対して容器本体を押し込んだ際、カバーの切れ目に突起を嵌め入れて係止させ、連結片をほぼ垂直に支持するようにしている（例えば、特許文献１参照）。
【特許文献１】特許第２６３３４６３号公報
【発明の開示】
【発明が解決しようとする課題】
【０００４】
ところで、前述した包装容器は、通常コートボールで形成されていることから、剛性が低く、包装容器の正面側と背面側との間隔が一定以上に大きくなると、包装容器を把握した際、カバーの上面部が上方に湾曲し、突起から切れ目が離脱して連結片の係止状態が解除されるという欠点がある。このため、連結片を垂直に支持することができず、連結片に菓子などの負荷が作用した場合、連結片が外方に向けて倒れ込み、菓子などが菱形状に変形した連結片および引き出し片を経て外部に脱落するおそれがある。
【０００５】
本発明は、このような問題点に鑑みてなされたもので、包装容器が一定以上に大きくなっても、連結片をほぼ垂直に支持して菓子などの脱落を防止することのできる包装容器を提供するものである。
【課題を解決するための手段】
【０００６】
本発明は、左右の側面板、背面板、底面板、正面板からなり、上面が開口された容器本体と、上面部、正面部、背面部および底面部からなり、左右両端が開口されたカバーと、から構成され、カバーにおける上面部の左右一端部に切欠部が形成される一方、容器本体における左側面板または右側面板の上端縁に、対向する他方の側面板に向かって引き出し片が水平に連設され、引き出し片の他端縁に下方に向かって連結片が垂直に連設され、連結片の下端縁に水平に糊代が連設されて底面板に貼着され、カバーの上面部に形成された切欠部に容器本体の引き出し片が露出するように、カバーの一端開口を通して容器本体が摺動自在に嵌挿された包装容器において、カバーの正面部裏面と背面部裏面との間隔、引き出し片の正面側端縁と背面側端縁との間隔、底面板の正面側端縁と背面側端縁との間隔の順に小さく設定され、また、引き出し片に対応して正面板および背面板の左右各一端部側上端縁に略板厚に相当する深さの切欠部がそれぞれ形成され、カバーの正面部および背面部に沿って支持された容器本体の正面板および背面板の各切欠部の上端縁に引き出し片の正面側端縁部および背面側端縁部が載置されることを特徴とするものである。
【０００７】
本発明によれば、容器本体の正面板および背面板は、カバーの正面部および背面部に沿ってそれぞれ垂直に支持され、また、引き出し片の正面側端縁部および背面側端縁部が、それぞれ容器本体の正面板および背面板の左右一端部側上端縁にそれぞれ形成された各切欠部の上端縁に載置されている。
【０００８】
このため、カバーの上面部の切欠部を通して容器本体の引き出し片を押圧し、引き出し片を左右一方の側面板と重なるように押し潰して、引き出し片および左右一方の側面板をカバーの左右一方の端縁から突出させることにより、突出させた引き出し片および左右一方の側面板を摘んでカバーから容器本体を引き出し、容器本体に収容された菓子などを取り出すことができる。この際、引き出し片が変形することで正面板および背面板の各切欠部から脱落し、左右一方の側面板に重ねられる。
【０００９】
一方、菓子などの取り出しを終了すれば、カバーに対して容器本体を押し込むことにより、カバーによって容器本体を覆うことができる。この際、前述とは逆に、引き出し片が変形し、その正面側端縁部および背面側端縁部が正面板および背面板の各切欠部に乗り上げて載置される。
【００１０】
ところで、連結片に菓子などの負荷が直接作用した場合、引き出し片の正面側端縁部および背面側端縁部がそれぞれ容器本体の正面板および背面板の各切欠部の上端縁に載置されているため、連結片は、外方に向けて倒れ込むことができず、ほぼ垂直に支持される。
【００１１】
この結果、引き出し片を上方から積極的に押圧して変形させない限り、連結片が倒れ込むことはなく、菓子などの脱落を確実に防止することがことができる。この場合、カバーの正面部および背面部にそれぞれ接してほぼ垂直に支持される容器本体の正面板および背面板の各切欠部と、引き出し片の関係によってのみ連結片の倒れ込みを防止することから、包装容器が大きくなり、カバーの上面部が上方に湾曲したとしても、連結片の倒れ込み、すなわち、菓子などの脱落を確実に防止することができる。
【００１２】
本発明において、前記引き出し片が連設された左右一方の側面板の正面側端縁と背面側端縁との間隔が、カバーの正面部裏面と背面部裏面との間隔よりも大きく設定されていると、カバーの左右一方開口端縁に左右一方の側面板の正面側端縁部と背面側端縁部とが当接し、それ以上の容器本体の押し込みを規制することができる。
【発明の効果】
【００１３】
以上のように本発明によれば、包装容器が一定以上に大きくなっても、連結片をほぼ垂直に支持して菓子などの脱落を防止することができる。
【発明を実施するための最良の形態】
【００１４】
以下、本発明の実施の形態を図面に基づいて説明する。
【００１５】
図１乃至図３には、本発明の包装容器１の一実施形態が示されている。
【００１６】
この包装容器１は、菓子などを収容する容器本体１０と、該容器本体１０の外周面に沿って摺動自在に嵌挿されたカバー２０と、から構成されている。
【００１７】
容器本体１０は、コートボールを図２に示す展開図にしたがって打ち抜いた後、折り目に沿って折り込むこととともに、所定部分を貼着して組み立てられる。
【００１８】
この容器本体１０は、図２の展開図において、正面板１１の下端縁に底面板１２および背面板１３が折り目ａ，ｂを介して順に連設される一方、底面板１２の左端縁に左側面板１４および糊代１５が折り目ｃ，ｄを介して順に連設されるとともに、底面板１２の右端縁に右側面板１６、引き出し片１７、連結片１８および糊代１５Ａが折り目ｅ，ｆ，ｇ，ｈを介して順に連設され、また、正面板１１の左端縁および背面板１３の左端縁に折り目ｉを介してフラップ１９がそれぞれ連設されて構成されている。
【００１９】
そして、正面板１１の右端部側上端縁および背面板１３の右端部側上端縁には、コートボールの厚みに略相当する深さの切欠部１１ａ，１３ａが、ほぼ引き出し片１７の長さ（折り目ｆ，ｇ間の間隔）にわたって右端縁から形成されている。
【００２０】
ここで、右側面板１６の正面側端縁と背面側端縁との間隔Ａは、カバー２０の正面部２４裏面と背面部２２裏面との間隔Ｂよりも大きく設定されている。このため、カバー２０に容器本体１０を嵌挿した場合、後述するカバー２０の正面部２４の右端縁および背面部２２の右端縁に右側面板１６の正面側端縁部および背面側端縁部がそれぞれ当接し、カバー２０に対して、容器本体１０をそれ以上押し込むことがないように規制している。
【００２１】
また、引き出し片１７の、正面側端縁と背面側端縁との間隔Ｃは、カバー２０の正面部２４裏面と背面部２２裏面との間隔Ｂよりも小さく、かつ、底面板１２の正面側端縁と背面側端縁との間隔（折り目ａ，ｂ間の間隔）Ｄよりも大きく設定されている。このため、容器本体１０を組み立てた際、引き出し片１７の正面側端縁部および背面側端縁部は、前述した正面板１１の切欠部１１ａおよび背面板１３の切欠部１３ａの各上端縁に載置されるようになっている。
【００２２】
なお、引き出し片１７の、連結片１８との折り目近傍は、先窄まりのテーパー状に形成されて、前述の間隔Ｃよりも小さくなっている。
【００２３】
次に、このように構成された容器本体１０の組み立て手順について説明する。
【００２４】
まず、図２の展開図にしたがってコートボールを打ち抜くとともに、裏面が上面を向くように反転させた後  各糊代１５，１５Ａの裏面に接着剤を塗布する。その後、各フラップ１９を正面板１１および背面板１３に対してそれぞれ折り目ｉ，ｉに沿って谷折りするとともに、正面板１１および背面板１３を底面板１２に対してそれぞれ折り目ａ，ｂに沿って谷折りする。次いで、左側面板１４を底面板１２に対して折り目ｃに沿って谷折りするとともに、糊代１５を左側面板１４に対して折り目ｄに沿って谷折りし、一対のフラップ１９，１９に貼着する。さらに、引き出し片１７を右側面板１６に対して折り目ｆに沿って谷折りし、糊代１５Ａを底面板１２に貼着する。この後、右側面板１６を底面板１２に対して折り目ｅに沿って谷折りするように起立させることにより、上面が開口された容器本体１０が形成される（図１参照）。
【００２５】
この場合、図４、図５および図７に示すように、正面板１１および背面板１３の右端部側上端縁に形成された各切欠部１１ａ，１３ａの上端縁に引き出し片１７の正面側端縁部および背面側端縁部が載置される。
【００２６】
この状態で、容器本体１０の、正面板１１、底面板１２、背面板１３、糊代１５および連結片１８によって形成される空間に、その上方開口を通して菓子などを収容することができる。
【００２７】
一方、カバー２０は、図３の展開図において、底面部２１の下端縁に、背面部２２、上面部２３、正面部２４、糊代２５が順に折り目ｐ，ｑ，ｒ，ｓを介して連設されて構成され、上面部２３には、その右端部に三角形状の切欠部２３ａが形成されるとともに、切欠部２３ａに近接して平行四辺形状の透口２３ｂが形成されている。
【００２８】
ここで、カバー２０の内寸は、カバー２０に対して容器本体１０を円滑に摺動することができるように、容器本体１０の外寸に対応して設定されている。
【００２９】
次に、このように構成されたカバー２０の組み立て手順について説明する。
【００３０】
まず、図３の展開図にしたがってコートボールを打ち抜くとともに、裏面が上面を向くように反転させた後、正面部２４に対して糊代２５を折り目ｓに沿って谷折りし、糊代２５の表面に接着剤を塗布する。次いで、上面部２３に対して背面部２２を折り目ｑに沿って谷折りし、底面部２１の裏面を糊代２５の表面に貼着する。次いで、底面部２１に対して背面部２２を、底面部２１に貼着された糊代２５に対して正面部２４をそれぞれ折り目ｐ，ｓに沿って谷折りするように起立させることにより、左右両端が開口されたカバー２０が形成される（図１参照）。
【００３１】
カバー２０が形成されたならば、カバー２０の一端開口を通して菓子などが収容された容器本体１０を嵌挿して押し込み、容器本体１０の周囲をカバー２０によって包囲した後、詳細には図示しないが、包装容器１をフィルムで包装して出荷される。
【００３２】
この場合、カバー２０の正面部２４および背面部２２の各裏面に容器本体１０の正面板１１および背面板１３の各表面がそれぞれ接して支持される。
【００３３】
一方、店頭にて菓子などを購入した消費者が菓子などを食する場合は、フィルムを剥離した後、図６に示すように、カバー２０の上面部２３に形成された切欠部２３ａを通して容器本体１０の引き出し片１７を押圧し、引き出し片１７および右側面板１６が重なるように押し潰す。この際、引き出し片１７が変形し、カバー２０の正面部２４および背面部２２に支持された正面板１１および背面板１３の各切欠部１１ａ，１３ａから脱落し、右側面板１６上に重ねられる。このため、引き出し片１７および右側面板１６がカバー２０の右端縁から突出し、突出された引き出し片１７および右側面板１６を摘んでカバー２０から容器本体１０を引き出すことができ、このため、容器本体１０に収容された菓子などを取り出すことができる。
【００３４】
一方、菓子などの取り出しを終了すれば、カバー２０に対して容器本体１０を押し込むことにより、容器本体１０に収容された菓子などの脱落を防止するように、カバー２０によって容器本体１０を覆うことができる。この場合、カバー２０の正面部２４および背面部２２に容器本体１０の正面板１１および背面板１３がそれぞれ接して支持されるとともに、引き出し片１７が変形して、その基端側の正面側端縁部および背面側端縁部が正面板１１および背面板１３の右端部側上端縁に形成された各切欠部１１ａ，１３ａの上端縁に乗り上げて載置される。
【００３５】
この結果、連結片１８に菓子などの負荷が作用したとしても、連結片１８に連設された引き出し片１７の正面側端縁部および背面側端縁部が、容器本体１０の正面板１１および背面板１３の切欠部１１ａ，１３ａの上端縁にそれぞれ載置され、容器本体１０の正面板１１および背面板１３は、カバー２０の正面部２４および背面部２２にそれぞれ接してほぼ垂直に支持されていることから、引き出し片１７が正面板１１および背面板１３の切欠部１１ａ，１３ａから脱落することはなく、連結片１８の外方に向けての倒れ込みを確実に防止することができる。したがって、購入者が引き出し片１７を積極的に押圧して変形させない限り、連結片１８が倒れ込むことはなく、菓子などの脱落を確実に防止することがことができる。
【００３６】
しかも、カバー２０の正面部２４および背面部２２にそれぞれ接してほぼ垂直に支持される容器本体１０の正面板１１および背面板１３の各切欠部１１ａ、１３ａと、引き出し片１７の関係によってのみ連結片１８の倒れ込みを防止することから、包装容器１の幅が大きくなり、カバー２０の上面部２３が上方に湾曲したとしても、連結片１８の倒れ込みを確実に防止することができる。
【産業上の利用可能性】
【００３７】
以上説明したように、本発明の包装容器によれば、包装容器の大きさに関係なく連結片の倒れ込みによる菓子などの脱落を確実に防止することができ、有益である。
【図面の簡単な説明】
【００３８】
【図１】本発明の包装容器の一実施形態を示す斜視図である。
【図２】図１の包装容器を構成する容器本体の展開図である。
【図３】図１の包装容器を構成するカバーの展開図である。
【図４】図１の容器本体の要部を拡大して示す正面図である。
【図５】図１の容器本体の要部を拡大して示す平面図である。
【図６】図１の包装容器において、カバーに対する容器本体の引き出し工程を一部省略して示す説明図である。
【図７】図１の包装容器において、カバーと容器本体との関係を一部省略して示す斜視図である。
【符号の説明】
【００３９】
１  包装容器
１０  容器本体
１１  正面板
１１ａ  切欠部
１２  底面板
１３  背面板
１３ａ  切欠部
１４  左側面板
１５，１５Ａ  糊代
１６  右側面板
１７  引き出し片
１８  連結片
２０  カバー
２１  底面部
２２  背面部
２３  上面部
２３ａ  切欠部
２４  正面部
２５  糊代
ａ，ｂ，ｃ，ｄ，ｅ，ｆ，ｇ，ｈ，ｉ  容器の折り目
ｐ，ｑ，ｒ，ｓ  カバーの折り目
【図１】
2005041531.tif 000003
【図２】
2005041531.tif 000004
【図３】
2005041531.tif 000005
【図４】
2005041531.tif 000006
【図５】
2005041531.tif 000007
【図６】
2005041531.tif 000008
【図７】
2005041531.tif 000009